(57)【要約】【課題】従来の放送受信装置は、受信状態が変化し易い放送の受信に適した放送受信装置を提供する技術ではなかった。【解決手段】この発明の放送受信装置は、予め、前記放送受信手段で受信された放送を記録媒体へ記録する手段と、受信される放送の受信状態を監視し、放送受信が可能な状態か否かを判定する手段と、放送受信が不可能な状態と判定された場合には、予め記録媒体に記録された放送を切換えて出力する手段と、出力された放送を映像信号に変換して出力する手段とを備えるように構成している。【選択図】  図１
2004350124.tif 000002
【特許請求の範囲】
【請求項１】
放送を受信する放送受信装置において、
放送を受信する放送受信手段と、
予め、前記放送受信手段で受信された放送を記録媒体へ記録する放送記録手段と、
前記放送受信手段で受信される放送の受信状態を監視し、放送受信が可能な状態か放送受信が不可能な状態かを判定する受信判定手段と、
前記受信状態判定手段で放送受信が可能な状態と判定された場合には前記受信された放送を出力する放送出力手段と、
前記前記受信状態判定手段で放送受信が不可能な状態と判定された場合は、前記予め記録媒体に記録された放送を切換えて出力する切換え出力手段と、
前記放送出力手段または前記切換え出力手段から出力された放送を映像信号に変換して出力する映像信号出力手段とを備えることを特徴とする放送受信装置。
【請求項２】
前記放送受信装置はさらに、前記受信状態判定手段で放送受信が不可能な状態と判定された場合には放送受信が不可能な状態が継続する時間を計時する計時手段と、
前記放送受信不可能状態の継続時間と予め設定された所定時間とを比較し、放送受信不可能状態の継続時間が前記予め設定された所定時間より長いか否かを判定する時間判定手段とを備え、前記時間判定手段で放送受信が不可能な状態の継続時間が前記所定時間より長いと判定された場合は、前記切換え出力手段を用いて前記予め記録媒体に記録された放送を切換えて出力することを特徴とする請求項１に記載の放送受信装置。
【請求項３】
放送を受信する放送受信装置において、
放送を受信する放送受信手段と、
予め、前記放送受信手段で受信された放送を記録媒体へ記録する放送記録手段と、
前記放送受信手段で受信される放送の受信状態を監視し、放送受信が可能な状態か放送受信が不可能な状態かを判定する受信判定手段と、
前記受信状態判定手段で放送受信が可能な状態と判定された場合には前記受信された放送を出力する放送出力手段と、
前記受信状態判定手段で放送受信が不可能な状態と判定された場合には放送受信が不可能な状態が継続する時間を計時する計時手段と、
前記放送受信不可能状態の継続時間と予め設定された所定時間とを比較し、放送受信不可能状態の継続時間が前記予め設定された所定時間より長いか否かを判定する時間判定手段と、
前記時間判定手段で放送受信が不可能な状態の継続時間が前記所定時間より長いと判定された場合は、前記予め記録媒体に記録された放送を切換えて出力する切換え出力手段と、
前記放送出力手段または前記切換え出力手段から出力された放送を映像信号に変換して出力する映像信号出力手段と、
前記映像信号出力手段から出力された映像信号を表示する映像表示手段とを備えることを特徴とする放送受信装置。
【請求項４】
放送を受信する放送受信装置において、
放送を受信する放送受信手段と、
予め、前記放送受信手段で受信された放送を記録媒体へ記録する放送記録手段と、
前記放送受信手段で受信される放送の受信状態を監視し、放送受信が可能な状態か放送受信が不可能な状態かを判定する受信判定手段と、
前記受信状態判定手段で放送受信が可能な状態と判定された場合には前記受信された放送を出力する放送出力手段と、
判定された場合は、前記予め記録媒体に記録された放送を切換えて出力する切換え出力手段と、
前記放送出力手段または前記切換え出力手段から出力された放送を音声信号に変換して出力する音声信号出力手段とを備えることを特徴とする放送受信装置。
【請求項５】
前記放送受信装置はさらに、前記受信状態判定手段で放送受信が不可能な状態と判定された場合には放送受信が不可能な状態が継続する時間を計時する計時手段と、
前記放送受信不可能状態の継続時間と予め設定された所定時間とを比較し、放送受信不可能状態の継続時間が前記予め設定された所定時間より長いか否かを判定する時間判定手段とを備え、前記時間判定手段で放送受信が不可能な状態の継続時間が前記所定時間より長いと判定された場合は、前記切換え出力手段を用いて前記予め記録媒体に記録された放送を切換えて出力することを特徴とする請求項４に記載の放送受信装置。
【請求項６】
放送を受信する放送受信装置において、
放送を受信する放送受信手段と、
予め、前記放送受信手段で受信された放送を記録媒体へ記録する放送記録手段と、
前記放送受信手段で受信される放送の受信状態を監視し、放送受信が可能な状態か放送受信が不可能な状態かを判定する受信判定手段と、
前記受信状態判定手段で放送受信が可能な状態と判定された場合には前記受信された放送を出力する放送出力手段と、
前記受信状態判定手段で放送受信が不可能な状態と判定された場合には放送受信が不可能な状態が継続する時間を計時する計時手段と、
前記放送受信不可能状態の継続時間と予め設定された所定時間とを比較し、放送受信不可能状態の継続時間が前記予め設定された所定時間より長いか否かを判定する時間判定手段と、
前記時間判定手段で放送受信が不可能な状態の継続時間が前記所定時間より長いと判定された場合は、前記予め記録媒体に記録された放送を切換えて出力する切換え出力手段と、
前記放送出力手段または前記切換え出力手段から出力された放送を音声信号に変換して出力する音声信号出力手段と、
前記音声信号出力手段から出力された音声信号を音声に変換して出力する音声出力手段とを備えることを特徴とする放送受信装置。
【請求項７】
前記映像信号出力手段はＭＰＥＧデコード処理を含むことを特徴とする請求項１乃至３に記載の放送受信装置。
【請求項８】
前記放送記録手段は前記ＭＰＥＧデコード処理の前段に行われることを特徴とする請求項７に記載の放送受信装置。
【請求項９】
前記放送記録手段は前記ＭＰＥＧデコード処理の後段に行われることを特徴とする請求項７に記載の放送受信装置。
【請求項１０】
前記放送は衛星放送であることを特徴とする請求項１乃至９に記載の放送受信装置。
【請求項１１】
前記放送はデジタル放送であることを特徴とする請求項１乃至１０に記載の放送受信装置。
【請求項１２】
前記放送受信装置は携帯型であることを特徴とする請求項１乃至１１に記載の放送受信装置。
【請求項１３】
前記時間判定手段に係る、予め設定された所定時間が設定される切換え時間設定手段をさらに備えることを特徴とする請求項１乃至１２に記載の放送受信装置。
【請求項１４】
放送を受信するステップと、
予め、受信された放送を記録媒体へ記録するステップと、
受信される放送の受信状態を監視し、放送受信が可能な状態か放送受信が不可能な状態かを判定するステップと、
放送受信が可能な状態と判定された場合には前記受信された放送を出力するステップと、
放送受信が不可能な状態と判定された場合には放送受信が不可能な状態が継続する時間を計時するステップと、
放送受信不可能状態の継続時間と予め設定された所定時間とを比較し、放送受信不可能状態の継続時間が前記予め設定された所定時間より長いか否かを判定するステップと、
放送受信が不可能な状態の継続時間が前記所定時間より長いと判定された場合は、前記予め記録媒体に記録された放送を切換えて出力するステップと、
前記出力された放送を映像信号に変換して出力するステップとを備えることを特徴とする放送受信方法。
【請求項１５】
放送を受信するステップと、
予め、受信された放送を記録媒体へ記録するステップと、
受信される放送の受信状態を監視し、放送受信が可能な状態か放送受信が不可能な状態かを判定するステップと、
放送受信が可能な状態と判定された場合には受信された放送を出力するステップと、
放送受信が不可能な状態と判定された場合には放送受信が不可能な状態が継続する時間を計時するステップと、
前記放送受信不可能状態の継続時間と予め設定された所定時間とを比較し、放送受信不可能状態の継続時間が前記予め設定された所定時間より長いか否かを判定するステップと、
放送受信が不可能な状態の継続時間が前記所定時間より長いと判定された場合は、前記予め記録媒体に記録された放送を切換えて出力するステップと、
前記出力された放送を音声信号に変換して出力するステップとを備えることを特徴とする放送受信方法。
【発明の詳細な説明】
【０００１】
【発明の属する技術分野】
この発明はＴＶ放送やラジオ放送を受信する放送受信装置に係り、特に記憶媒体を備えた放送受信装置に関する。
【０００２】
【従来の技術】
従来の記憶媒体を備えた放送受信装置は、情報提供装置によってコンテンツやコンテンツの放送予定を記憶し、コンテンツの転送を行っている。（例えば特許文献１）。
【０００３】
また従来の記憶媒体を備えた放送受信装置は、ストリーミングサーバーによってＴＶ番組の映像データを配信要求のあったクライアントへストリーム配信するようにしている。（例えば特許文献２）。
【０００４】
【特許文献１】
特開２００２−３１９９１２号公報（第３頁、図１）
【特許文献２】
特開２００２−３４４９２０号公報（第３３頁、図１）
【０００５】
【発明が解決しようとする課題】
上記特許文献１、特許文献２の技術は受信状態が変化し易い放送の受信に適した放送受信装置を提供する技術ではなかった。
【０００６】
【課題を解決するための手段】
この発明に係る放送受信装置は、放送を受信する放送受信手段と、予め、前記放送受信手段で受信された放送を記録媒体へ記録する放送記録手段と、前記放送受信手段で受信される放送の受信状態を監視し、放送受信が可能な状態か放送受信が不可能な状態かを判定する受信判定手段と、前記受信状態判定手段で放送受信が可能な状態と判定された場合には前記受信された放送を出力する放送出力手段と、前記受信状態判定手段で放送受信が不可能な状態と判定された場合には、前記予め記録媒体に記録された放送を切換えて出力する切換え出力手段と、前記放送出力手段または前記切換え出力手段から出力された放送を映像信号に変換して出力する映像信号出力手段とを備えるように構成している。
【０００７】
また、この発明に係る放送受信方法は、放送を受信するステップと、予め、受信された放送を記録媒体へ記録するステップと、受信される放送の受信状態を監視し、放送受信が可能な状態か放送受信が不可能な状態かを判定するステップと、放送受信が可能な状態と判定された場合には前記受信された放送を出力するステップと、放送受信が不可能な状態と判定された場合には、前記予め記録媒体に記録された放送を切換えて出力するステップと、前記出力された放送を映像信号に変換して出力するステップとを備えるように構成している。
【０００８】
【発明の実施の形態】
２００３年末から２００４年にかけて、モバイル（携帯）型の放送受信装置（携帯受信端末）による放送受信を想定した、衛星を利用した、ＴＶ放送やラジオ放送を放送するデジタル放送が計画されている。
【０００９】
また、今後放送される予定である、地上波デジタル放送を利用した携帯機器向けのサービスも計画されており、徐々に携帯端末での放送受信環境が整いつつある。
【００１０】
この発明は、ＴＶ放送やラジオ放送を受信する放送受信装置に関する発明である。放送受信装置の一例として、携帯受信端末がある。
【００１１】
携帯受信端末では、さまざまな場所での利用が想定される。一般に携帯受信端末では、アンテナも一緒に構成されている。このため、電波の受信状況は放送を受信する場所等の環境に大きく依存する。
【００１２】
例えば、前述のような衛星放送に対応した受信端末（携帯受信端末）の場合は、衛星から送信される放送すなわち放送に係る電波を受信端末で受信する必要があるため、受信端末が屋外等のアンテナに接続されていない限り、屋内では受信することが困難である。
【００１３】
この課題に対する放送事業者側の対応策として、例えば再送信装置の設置等があげられるが、この設置作業にはかなりの費用と期間を要することが予想される。上記衛星デジタル放送の放送開始にあわせるタイミングで、どこででも受信できるように、この再送信装置を、隈なく設置することは容易ではない。
【００１４】
したがって、携帯端末としては、放送を受信不可能な状態（エリア等）においても利用可能な機能の搭載が望まれている。尚、ここでは受信不可能な状態の長さとして、例えば地下鉄乗車時等のやや長い時間を想定している。
【００１５】
以下、図面を参照してこの発明に係る実施の形態を説明する。
【００１６】
図１はこの発明の実施の形態に係る放送受信装置を説明するブロック図である。
【００１７】
符号９はデジタル衛星放送を受信するアンテナ、符号１０は放送受信部（放送受信手段）、符号１１はＴＳ処理部、符号１２はＭＰＥＧデコード部、符号１３はグラフィック重畳部、符号１４は映像信号処理部（映像信号出力手段）、符号１５は画像表示部（映像表示手段）、符号１６は音声信号処理部（音声信号出力手段）、符号１７はスピーカ（音声出力手段）、符号１８はＣＰＵ、符号１９は半導体やＤＶＤ、ＨＤＤ、ＶＴＲ等のメモリ（記憶媒体）、符号２０は電源、符号３０は放送受信装置（モバイル（携帯）型の放送受信装置（携帯受信端末））である。
【００１８】
ＣＰＵ１８は放送受信装置３０内に設けられた放送受信部１０、ＴＳ処理部１１、ＭＰＥＧデコード部１２、グラフィック重畳部１３、映像信号処理部１４、画像表示部１５、音声信号処理部１６、スピーカ１７、メモリ１９、電源２０に接続され、それぞれを制御している。
【００１９】
デジタル衛星放送がアンテナ９で受信され、放送受信部１０へ出力される。放送受信部１０ではデジタル衛星放送が選局され、選局された放送がＴＳ処理部（Ｔｒａｎｓｐｏｒｔ  Ｓｔｒｅａｍ処理部）１２へ出力される。ＴＳ処理部１１ではデジタル放送のＴｒａｎｓｐｏｒｔ  ＳｔｒｅａｍがＤｅｍｕｘ処理され、ＭＰＥＧデコード部１２へ出力される。ＭＰＥＧデコード部１２ではＴｒａｎｓｐｏｒｔ  ＳｔｒｅａｍがＤｅｍｕｘ処理された放送信号がＭＰＥＧデコード処理されて出力される。
【００２０】
ここで、ＭＰＥＧデコード処理は上記デジタル衛星放送がＭＰＥＧ４圧縮の形態で送信される場合はＭＰＥＧ４のデコード処理が行われ、上記デジタル衛星放送がＭＰＥＧ２圧縮の形態で送信される場合はＭＰＥＧ２のデコード処理が行われる。また、上記デジタル衛星放送がＨ２４６圧縮の形態で送信される場合はＨ２４６のデコード処理が行われる。
【００２１】
ＭＰＥＧデコード部１２でデコード処理されて出力された放送信号はグラフィック重畳部１３へ入力される。グラフィック重畳部１３では所定のグラフィックが重畳され、映像信号処理部１４へ出力される。映像信号処理部１４では所定のグラフィックが重畳された放送信号の映像処理を行い、画像表示部（映像表示部）１５へ映像信号を出力する。画像表示部（映像表示部）１５では映像信号を受信し、映像を表示する。
【００２２】
また、ＭＰＥＧデコード部１２でデコード処理されて出力された放送信号は音声信号処理部１６へ出力される。音声信号処理部１４ではＡＣ３等の音声圧縮のデコード処理を行い、スピーカ（音声出力部）１７へ音声信号を出力する。スピーカ（音声出力部）１７では音声信号を受信し、音声を出力する。
【００２３】
電源２０はＣＰＵ１８に制御され、放送受信装置３０へ電力を供給する。
【００２４】
ここで、ＣＰＵ１８の制御動作について説明する。ＣＰＵ１８は、放送受信部１０およびメモリ１９と接続されている。ＣＰＵ１８は、予め、放送受信部１０で受信された放送（コンテンツ）を記録媒体へ記録するように放送受信部１０およびメモリ（記憶媒体）１９を制御する（放送記録手段）。
【００２５】
メモリ（記憶媒体）１９はＭＰＥＧデコード部１２の前段部、すなわちＴＳ処理部１１の後段と接続されており、ＴＳ処理が行われた放送（コンテンツ）が、予めメモリ（記憶媒体）１９に記録される。
【００２６】
また、後述する切換えによって予め記録された放送（コンテンツ）がメモリ（記憶媒体）１９から出力されると、ＭＰＥＧデコード部１２でＭＰＥＧデコード処理が行われ出力される。
【００２７】
ここで、上記のように、放送局から送信される上記デジタル放送がＭＰＥＧ４圧縮の形態で送信される場合はＭＰＥＧ４のデコード処理が行われ、放送がＭＰＥＧ２圧縮の形態で送信される場合はＭＰＥＧ２のデコード処理が行われる。また、放送がＨ２４６圧縮の形態で送信される場合はＨ２４６のデコード処理が行われる。
【００２８】
また、ＣＰＵ１８は、放送受信部（放送受信手段）１０で受信される放送の受信状態を監視し、放送受信が可能な状態か放送受信が不可能な状態かを判定する（受信状態判定手段）。例えば、放送受信部１０で受信されるデジタル放送の品位（例えばビットエラーレートや信号強度等）をパラメータとして放送受信が可能な状態か放送受信が不可能な状態かを監視し、判定する。
【００２９】
そして、放送受信が可能な状態であると判定された場合には、受信された放送を出力するようにＴＳ処理部１１、ＭＰＥＧデコード部１２、メモリ１９を制御する（放送出力手段）。
【００３０】
ＣＰＵ１８は、図示しない時計に接続されており、放送受信が不可能な状態と判定された場合には放送受信が不可能な状態が継続する時間を計時する（計時手段）。
【００３１】
そして、上記のように計時された放送受信不可能状態の継続時間と予め設定された所定時間（後述）とを比較し、放送受信不可能状態の継続時間が前記予め設定された所定時間より長いか否かを判定する（時間判定手段）。
【００３２】
ＣＰＵ１８は、放送受信が不可能な状態の継続時間が前記所定時間より長いと判定された場合は、予めメモリ（記録媒体）１９に記録された放送を切換えて出力するようにＴＳ処理部１１、ＭＰＥＧデコード部１２、メモリ１９を制御する（切換え出力手段）。
【００３３】
そして、ＭＰＥＧデコード部１２またはメモリ１９から出力された放送を映像信号に変換して出力するように映像信号処理部１４を制御する（映像信号出力手段）。
【００３４】
映像信号処理部１４から出力された映像信号は画像表示部（映像表示手段）１５に表示される。
【００３５】
また、ＭＰＥＧデコード部１２またはメモリ１９から出力された放送を音声信号に変換して出力するように音声信号処理部１６を制御する（音声信号出力手段）。
【００３６】
音声信号処理部１６から出力された音声信号はスピーカ（音声出力部）１７へ入力され、音声に変換されて出力される（音声出力手段）。
【００３７】
図２はこの発明の実施の形態に係る放送受信装置の動作を説明するフローチャートである。
【００３８】
ここでは、ユーザーが放送受信装置（携帯受信端末）３０を運ぶことによって、放送受信装置（携帯受信端末）３０が地下鉄のホームや車両等の受信不可能な状態、すなわち受信不可能なエリアに入ったときの、処理動作の一例を示す。
【００３９】
符号２１はここでの開始ステップである。続いて符号２２を付したステップへ進む。
【００４０】
符号２２は放送受信装置（携帯受信端末）３０が受信可能エリア内にある場合のステップある。この場合は、放送受信装置（携帯受信端末）３０に搭載された、図示しない操作ボタン（例えばＣＨ  ＵＰ／ＤＯＷＮ等）により、現在放送中の番組が順次選局される。続いて符号２３を付したステップへ進む。
【００４１】
符号２３は放送受信装置（携帯受信端末）３０がデジタル放送を受信可能な状態か受信不可能な状態かを判定するステップである。放送受信装置（携帯受信端末）３０がデジタル放送を受信可能な状態か受信不可能な状態か、すなわちデジタル放送を受信可能なエリアにいる（受信可能エリア内）か、受信不可能なエリアにいる（受信可能エリア外）かは、上記のように監視され、判定される。デジタル放送を受信可能なエリアにいる（受信可能エリア内）と判定された場合は符号２２を付したステップへ進む（ｎｏ）。デジタル放送を受信不可能なエリアにいる（受信可能エリア外）と判定された場合は符号２４を付したステップへ進む（ｙｅｓ）。
【００４２】
符号２４は放送受信装置（携帯受信端末）３０がデジタル放送を受信不可能な状態の継続時間をカウント（計時）するステップである。続いて符号２５を付したステップへ進む。
【００４３】
符号２５は予め設定された時間を超える受信不可能な状態が生じたか否かを判定するステップである。上記のように、デジタル放送を受信不可能な状態の継続時間と予め設定された時間が比較され、判定される。デジタル放送を受信不可能な状態が、予め設定された時間を超えないと判定された場合は符号２４を付したステップへ進む（ｎｏ）。デジタル放送を受信不可能な状態が、予め設定された時間を超えると判定された場合は符号２６を付したステップへ進む（ｙｅｓ）。
【００４４】
符号２６は予め記録媒体１９に記録された放送（コンテンツ）の選局に切換えて出力するステップである。続いて符号２７を付したステップへ進む。
【００４５】
符号２７は終了ステップであり、ここでの処理は終了する。
【００４６】
尚、上記受信可能状態の放送（コンテンツ）および予め記録された放送（コンテンツ）の表示は映像表示部１５に表示される。そして、受信可能状態の放送（コンテンツ）画面表示モードから、記録された放送（コンテンツ）画面表示モードに切り換えられた際に、例えば、放送受信可能状態と同様の操作ボタン（ＣＨＵＰ／ＤＯＷＮキー等）により、記録された放送（コンテンツ）が順次切り換わるようにすれば、ユーザーは、端末が受信可能エリア内にあるか、受信不可能エリア内にあるかを、特に意識することなく視聴可能なコンテンツへアクセスすることが可能となる。
【００４７】
図３はこの発明の実施の形態に係る予め設定された所定時間を切換える、切換え時間設定画面を説明する図である。
【００４８】
予め設定された所定時間は、デフォルトで設定されていることが望ましい。そして、ここでは、ユーザーが自身の判断でこのデフォルト設定時間を切換えることができる。
【００４９】
上記のように、放送受信不可能状態の継続時間と予め設定された所定時間とがＣＰＵ１８によって比較され、放送受信不可能状態の継続時間が前記予め設定された所定時間より長いか否かを判定される。
【００５０】
ここでは、例えば、ユーザーの操作によって予め設定された所定時間を設定することができるように構成されている。そして、ユーザーが図示しない操作ボタンを操作することによって切換え時間設定画面が映像表示部１５に表示される。
【００５１】
ここでは切換え時間設定が、例えば１分〜５分の間で設定できるようになっており、ユーザーが図示しない操作ボタンを操作して▼印を移動させることによって、時間を設定できる。そして、設定を行う場合は設定するを選択し、例えば決定ボタンを操作することで設定が行われる。ここでは一例として１分が設定される例が示されている。
【００５２】
図４はこの発明の、他の実施の形態に係る放送受信装置を説明するブロック図である。
【００５３】
この実施の形態では、メモリ（記憶媒体）１９はＭＰＥＧデコード部１２の後段部に接続されており、ＭＰＥＧデコード処理が行われた放送（コンテンツ）が、予めメモリ（記憶媒体）１９に記録される。
【００５４】
上記と同様の構成については同一の符号を付して説明を省略する。
【００５５】
上記説明した実施の形態と同様に、ＣＰＵ１８は放送受信装置３０内に設けられた放送受信部１０、ＴＳ処理部１１、ＭＰＥＧデコード部１２、グラフィック重畳部１３、映像信号処理部１４、画像表示部１５、音声信号処理部１６、スピーカ１７、メモリ１９、電源２０に接続され、それぞれを制御している。
【００５６】
デジタル衛星放送がアンテナ９で受信され、放送受信部１０へ出力される。放送受信部１０ではデジタル衛星放送が選局され、選局された放送がＴＳ処理部（Ｔｒａｎｓｐｏｒｔ  Ｓｔｒｅａｍ処理部）１２へ出力される。ＴＳ処理部１１ではデジタル放送のＴｒａｎｓｐｏｒｔ  ＳｔｒｅａｍがＤｅｍｕｘ処理され、ＭＰＥＧデコード部１２へ出力される。ＭＰＥＧデコード部１２ではＴｒａｎｓｐｏｒｔ  ＳｔｒｅａｍがＤｅｍｕｘ処理された放送信号がＭＰＥＧデコード処理されて出力される。
【００５７】
ここで、ＭＰＥＧデコード処理は上記デジタル衛星放送がＭＰＥＧ４圧縮の形態で送信される場合はＭＰＥＧ４のデコード処理が行われ、上記デジタル衛星放送がＭＰＥＧ２圧縮の形態で送信される場合はＭＰＥＧ２のデコード処理が行われる。また、上記デジタル衛星放送がＨ２４６圧縮の形態で送信される場合はＨ２４６のデコード処理が行われる。
【００５８】
ＭＰＥＧデコード部１２でデコード処理されて出力された放送信号はグラフィック重畳部１３へ入力される。グラフィック重畳部１３では所定のグラフィックが重畳され、映像信号処理部１４へ出力される。映像信号処理部１４では所定のグラフィックが重畳された放送信号の映像処理を行い、画像表示部（映像表示部）１５へ映像信号を出力する。画像表示部（映像表示部）１５では映像信号を受信し、映像を表示する。
【００５９】
また、ＭＰＥＧデコード部１２でデコード処理されて出力された放送信号は音声信号処理部１６へ出力される。音声信号処理部１４ではＡＣ３等の音声圧縮のデコード処理を行い、スピーカ（音声出力部）１７へ音声信号を出力する。スピーカ（音声出力部）１７では音声信号を受信し、音声を出力する。
【００６０】
電源２０はＣＰＵ１８に制御され、放送受信装置３０へ電力を供給する。
【００６１】
ここで、ＣＰＵ１８の制御動作について説明する。ＣＰＵ１８は、放送受信部１０およびメモリ１９と接続されている。ＣＰＵ１８は、予め、放送受信部１０で受信された放送（コンテンツ）を記録媒体へ記録するように放送受信部１０およびメモリ（記憶媒体）１９を制御する（放送記録手段）。
【００６２】
メモリ（記憶媒体）１９はＭＰＥＧデコード部１２の後段部に接続されており、ＭＰＥＧデコード処理が行われた放送（コンテンツ）が、予めメモリ（記憶媒体）１９に記録される。
【００６３】
また、後述する切換えによって、ＭＰＥＧデコード処理されて、予め記録された放送（コンテンツ）がメモリ（記憶媒体）１９から出力されると、グラフィック重畳部１３でグラフィックが重畳され、音声信号処理部１６でＡＣ３等の音声でコード処理が行われ、出力される。
【００６４】
ここで、上記のように、放送局から送信される上記デジタル放送がＭＰＥＧ４圧縮の形態で送信される場合はＭＰＥＧ４のデコード処理が行われ、放送がＭＰＥＧ２圧縮の形態で送信される場合はＭＰＥＧ２のデコード処理が行われる。また、放送がＨ２４６圧縮の形態で送信される場合はＨ２４６のデコード処理が行われる。
【００６５】
また、ＣＰＵ１８は、放送受信部（放送受信手段）１０で受信される放送の受信状態を監視し、放送受信が可能な状態か放送受信が不可能な状態かを判定する（受信状態判定手段）。例えば、放送受信部１０で受信されるデジタル放送の品位（例えばビットエラーレートや信号強度等）をパラメータとして放送受信が可能な状態か放送受信が不可能な状態かを監視し、判定する。
【００６６】
そして、放送受信が可能な状態であると判定された場合には、受信された放送を出力するようにＴＳ処理部１１、ＭＰＥＧデコード部１２、メモリ１９を制御する（放送出力手段）。
【００６７】
ＣＰＵ１８は、図示しない時計に接続されており、放送受信が不可能な状態と判定された場合には放送受信が不可能な状態が継続する時間を計時する（計時手段）。
【００６８】
そして、上記のように計時された放送受信不可能状態の継続時間と予め設定された所定時間（後述）とを比較し、放送受信不可能状態の継続時間が前記予め設定された所定時間より長いか否かを判定する（時間判定手段）。
【００６９】
ＣＰＵ１８は、放送受信が不可能な状態の継続時間が前記所定時間より長いと判定された場合は、予めメモリ（記録媒体）１９に記録された放送を切換えて出力するようにＴＳ処理部１１、ＭＰＥＧデコード部１２、メモリ１９を制御する（切換え出力手段）。
【００７０】
そして、ＭＰＥＧデコード部１２またはメモリ１９から出力された放送を映像信号に変換して出力するように映像信号処理部１４を制御する（映像信号出力手段）。
【００７１】
映像信号処理部１４から出力された映像信号は画像表示部（映像表示手段）１５に表示される。
【００７２】
また、ＭＰＥＧデコード部１２またはメモリ１９から出力された放送を音声信号に変換して出力するように音声信号処理部１６を制御する（音声信号出力手段）。
【００７３】
音声信号処理部１６から出力された音声信号はスピーカ（音声出力部）１７へ入力され、音声に変換されて出力される（音声出力手段）。
【００７４】
また、上記のように放送受信装置３０が放送を、放送受信不可能な状態から受信可能な状態へ復帰したとＣＰＵ１８が判定した際には、予めメモリ（記録媒体）１９に記録された放送の出力から、受信されている放送の出力へ切換えるように、ＣＰＵ１８がＴＳ処理部１１、ＭＰＥＧデコード部１２、メモリ１９を制御する。
【００７５】
ここでも、ＣＰＵ１８は、図示しない時計に接続されており、放送受信が不可能な状態から可能な状態へ移行した状態の継続する時間を計時する。
【００７６】
そして、放送受信可能な状態の継続時間が所定時間より長いか否かを判定し、放送受信が可能な状態の継続時間が所定時間より長い場合は、受信されている放送の出力へ切換えるように制御する。
【００７７】
上記説明したように、この発明の実施の形態によれば、受信状態が変化し易い放送の受信に適した放送受信装置を提供することができる。
【００７８】
また、この発明の実施の形態によれば、受信状態が変化した際に、予め記録された放送（コンテンツ）を自動的に切り換えて出力するように構成したので、ユーザーの利便性を向上させることができる。
【００７９】
また、この発明の実施の形態によれば、ユーザーは上記予め設定される所定時間を自分の好みに応じて設定できる。
【００８０】
また、この発明の実施の形態によれば、ユーザーの判断で上記予め設定される所定時間を設定できるので、ユーザーの意図しない切り換えを防止することが可能である。
【００８１】
尚、上記説明において、放送受信装置の一例として、携帯受信端末を用いて説明を行ったが、この発明は携帯受信端末に限られることはなく、いわゆる設置型の放送受信装置に適用することも可能である。
【００８２】
また、この発明は上記説明した実施の形態にとらわれることなく、例えば、ホットスポット利用を想定したインタネット端末等、限られたエリアでしか利用できない端末へ応用することも可能である。
【００８３】
【発明の効果】
上記説明したように、この発明の実施の形態によれば、受信状態が変化し易い放送の受信に適した放送受信装置を提供することができる。
【００８４】
また、この発明の実施の形態によれば、ユーザーの利便性を向上させることができる。
【００８５】
また、この発明の実施の形態によれば、ユーザーは記録された放送へ切換える切換え時間を、自分の好みに応じて設定できる。
【００８６】
また、この発明の実施の形態によれば、ユーザーの意図しない切換えを防止することが可能である。
【図面の簡単な説明】
【図１】この発明に係る放送受信装置を説明するブロック図。
【図２】この発明に係る放送受信装置の動作を説明するフローチャート。
【図３】この発明に係る切換え時間設定画面を説明する図。
【図４】この発明の、他の実施の形態に係る放送受信装置を説明するブロック図。
【符号の説明】
９  …  アンテナ
１０  …  放送受信部（放送受信手段）
１１  …  ＴＳ処理部
１２  …  ＭＰＥＧデコード部
１３  …  グラフィック重畳部
１４  …  映像信号処理部（映像信号出力手段）
１５  …  画像表示部（映像表示手段）
１６  …  音声信号処理部（音声信号出力手段）
１７  …  スピーカ（音声出力手段）
１８  …  ＣＰＵ
１９  …  メモリ（記憶媒体）
２０  …  電源
３０  …  放送受信装置（携帯受信端末）
【図１】
2004350124.tif 000003
【図２】
2004350124.tif 000004
【図３】
2004350124.tif 000005
【図４】
2004350124.tif 000006